(57)【要約】【課題】ショーケース本体の前面開口がスライド扉で開閉されるショーケースにおいて、スライド扉に反り変形が生じた場合でも、戸車を構成するローラの回転方向を適正化することができるようにして、スライド扉を円滑にスライド開閉操作することができるようにする。【解決手段】扉枠２０と戸車２９との間に、スライド扉１６に対するローラ５０の走行方向を変更させるための姿勢調整構造を設ける。姿勢調整構造は、戸車枠５１と扉枠２０とを連結する上下方向に伸びる回転中心軸５２と、該回転中心軸５２を中心として戸車枠５１を前後方向に揺動した状態で、該戸車枠５１を扉枠２０に固定する調整軸５３とを含む。戸車枠５１には、回転中心軸５２を中心とした調整ねじ５３のねじ軸５３ａの相対移動を許す長穴状の調整孔６１が開設されている。【選択図】図１
2016214313.tif 000002
【特許請求の範囲】
【請求項１】
ショーケース本体（３）と、左右方向にスライド移動可能に設けられて、ショーケース本体（３）の前面開口（１５）を開閉するスライド扉（１６）と、スライド扉（１６）の下端左右に離間して配置されて、スライド扉（１６）の荷重を受ける戸車（２９）と、ショーケース本体（３）の前面開口（１５）の内周下端に配設されて、戸車（２９）を案内支持する下レール（４３）とを備え、
スライド扉（１６）は、扉本体（１９）と、扉本体（１９）を囲む扉枠（２０）とを備え、扉枠（２０）に戸車（２９）が支持されており、
戸車（２９）は、扉枠（２０）に固定される戸車枠（５１）と、戸車枠（５１）で回動自在に支持されるローラ（５０）とを含み、
扉枠（２０）と戸車（２９）との間に、スライド扉（１６）に対するローラ（５０）の走行方向を変更させるための姿勢調整構造が設けられていることを特徴とするショーケース。
【請求項２】
前記姿勢調整構造が、戸車枠（５１）と扉枠（２０）とを連結する上下方向に伸びる回転中心軸（５２）と、該回転中心軸（５２）を中心として戸車枠（５１）を前後方向に揺動した状態で、該戸車枠（５１）を扉枠（２０）に固定する調整軸（５３）と、を含み、
回転中心軸（５２）を中心として揺動させた状態で調整軸（５３）により戸車枠（５１）を扉枠（２０）に固定することで、ローラ（５０）の走行方向を変更することができるように構成されている、請求項１記載のショーケース。
【請求項３】
前記姿勢調整構造が、戸車枠（５１）と扉枠（２０）とを連結する上下方向に伸びる回転中心軸（５２）と、該回転中心軸（５２）を中心として戸車枠（５１）を前後方向に揺動した状態で、該戸車枠（５１）を扉枠（２０）に固定する調整軸（５３）と、を含み、
調整軸（５３）は、扉枠（２０）にねじ込まれるねじ軸（５３ａ）と、ねじ軸（５３ａ）よりも大径の操作頭部（５３ｂ）とを備える調整ねじであり、
戸車枠（５１）には、回転中心軸（５２）を中心とした調整ねじ（５３）のねじ軸（５３ａ）の相対移動を許す長穴状の調整孔（６１）が開設されており、
調整孔（６１）を介して扉枠（２０）にねじ込まれたねじ軸（５３ａ）により戸車枠（５１）を扉枠（２０）に固定することで、調整孔（６１）の長さ寸法の範囲内でローラ（５０）の走行方向を変更することができるように構成されている請求項１記載のショーケース。
【発明の詳細な説明】
【技術分野】
【０００１】
本発明は、下レールに対してスライド扉がスライド可能に支持されたショーケースに関する。
【背景技術】
【０００２】
ショーケースの分野において、前面開口を塞ぐスライド扉に、スライド扉の姿勢を調整するための姿勢調整機構を設けることは公知である。例えば特許文献１に記載のショーケースでは、スライド扉と戸車との間に、傾斜面を有する調整用のスペーサを介在させることで、スライド扉を真っ直ぐな立直姿勢として、スライド扉と前面開口との間に隙間が生じることを防いでいる。特許文献２に記載のショーケースでは、収納室の内部に貯蔵物が収納されていない無負荷状態において、貯蔵物が収容された負荷状態となったときに発生する傾きを相殺し得る逆方向にスライド扉を予め傾かせることで、負荷状態において、下レールの中央部分が撓むのに伴ってスライド扉が傾くことを防いでいる。
【先行技術文献】
【特許文献】
【０００３】
【特許文献１】実願昭５９−１０６６４５号（実開昭６１−２１２７９号）のマイクロフィルム
【特許文献２】特開２００３−１７６９７６号公報
【発明の概要】
【発明が解決しようとする課題】
【０００４】
特許文献１、２に記載の姿勢調整機構は、下レールの歪みを吸収して、スライド扉を真っ直ぐな立直姿勢とするためのものであり、スライド扉自身の歪みは全く予定していない。つまり、特許文献１、２に記載の姿勢調整機構は、この種のショーケースにおいて生じ得る、内外の温度差によりスライド扉が反り変形するという、スライド扉自身の歪みを予定していない。このため、従来の姿勢調整機構では、スライド扉の「反り変形」に伴って戸車を構成するローラの回転方向が下レールの伸び方向（左右方向）とずれると、ローラの円滑な回転が阻害され、結果として、スライド扉を円滑にスライド開閉操作することができなくなるという問題があった。
【０００５】
本発明の目的は、スライド扉に反り変形が生じた場合でも、戸車を構成するローラの回転方向を適正化することができるようにして、スライド扉を円滑にスライド開閉操作することができるショーケースを提供することを目的とする。
【課題を解決するための手段】
【０００６】
本発明は、ショーケース本体３と、左右方向にスライド移動可能に設けられて、ショーケース本体３の前面開口１５を開閉するスライド扉１６と、スライド扉１６の下端左右に離間して配置されて、スライド扉１６の荷重を受ける戸車２９と、ショーケース本体３の前面開口１５の内周下端に配設されて、戸車２９を案内支持する下レール４３とを備えるショーケースを対象とする。スライド扉１６は、扉本体１９と、扉本体１９を囲む扉枠２０とを備え、扉枠２０に戸車２９が支持されている。戸車２９は、扉枠２０に固定される戸車枠５１と、戸車枠５１で回動自在に支持されるローラ５０とを含む。そして、扉枠２０と戸車２９との間に、スライド扉１６に対するローラ５０の走行方向を変更させるための姿勢調整構造が設けられていることを特徴とする。
【０００７】
姿勢調整構造は、戸車枠５１と扉枠２０とを連結する上下方向に伸びる回転中心軸５２と、該回転中心軸５２を中心として戸車枠５１を前後方向に揺動した状態で、該戸車枠５１を扉枠２０に固定する調整軸５３とを含む。そして、回転中心軸５２を中心として揺動させた状態で調整軸５３により戸車枠５１を扉枠２０に固定することで、ローラ５０の走行方向を変更することができるように構成することができる。
【０００８】
姿勢調整構造は、戸車枠５１と扉枠２０とを連結する上下方向に伸びる回転中心軸５２と、該回転中心軸５２を中心として戸車枠５１を前後方向に揺動した状態で、該戸車枠５１を扉枠２０に固定する調整軸５３とを含む。調整軸５３は、扉枠２０にねじ込まれるねじ軸５３ａと、ねじ軸５３ａよりも大径の操作頭部５３ｂとを備える調整ねじである。戸車枠５１には、回転中心軸５２を中心とした調整ねじ５３のねじ軸５３ａの相対移動を許す長穴状の調整孔６１が開設されている。そして、調整孔６１を介して扉枠２０にねじ込まれたねじ軸５３ａにより戸車枠５１を扉枠２０に固定することで、調整孔６１の長さ寸法の範囲内でローラ５０の走行方向を変更することができるように構成されている。
【発明の効果】
【０００９】
本発明においては、扉枠２０と戸車２９との間に、スライド扉１６に対するローラ５０の走行方向を変更させるための姿勢調整構造を設けた。これによれば、冷却された低温の庫内空気と室温の庫外空気の温度差によりスライド扉１６の庫内側が収縮して、平面視でスライド扉１６の左右方向の中央部が外向き（庫外向き）に膨出する反り変形が生じた場合でも、姿勢調整構造により、スライド扉１６に対するローラ５０の走行方向を変更させて、戸車２９のローラ５０の走行方向を、下レール４３の伸び方向（左右方向）と一致させることで、スライド扉１６の反り変形を吸収することができるので、スライド扉１６のスライド開閉操作を常に円滑に行うことができる。
【００１０】
具体的には、姿勢調整構造は、戸車枠５１と扉枠２０とを連結する上下方向に伸びる回転中心軸５２と、該回転中心軸５２を中心として戸車枠５１を前後方向に揺動した状態で、該戸車枠５１を扉枠２０に固定する調整軸５３とを含むものとすることができる。より具体的には、調整軸５３を、扉枠２０にねじ込まれるねじ軸５３ａと、ねじ軸５３ａよりも大径の操作頭部５３ｂとを備える調整ねじとして、戸車枠５１に、回転中心軸５２を中心とした調整ねじ５３のねじ軸５３ａの相対移動を許す長穴状の調整孔６１が開設されている形態を採ることができる。これによれば、回転中心軸５２を揺動回転中心として、調整孔６１の長さ寸法分だけ、戸車枠５１を前後へ相対的に揺動させることで、戸車２９の姿勢を変位させて、ローラ５０の走行方向を変更させることができる。また、このとき、ローラ５０の走行方向を下レール４３の伸び方向（左右方向）と一致させることで、スライド扉１６の反り変形を吸収することができるので、スライド扉１６のスライド開閉操作を常に円滑に行うことが可能となる。
【図面の簡単な説明】
【００１１】
【図１】本発明に係るショーケースを構成するスライド扉の要部を示す底面図である。
【図２】本発明に係るショーケースの正面図である。
【図３】本発明に係るショーケースの概略構成図である。
【図４】本発明に係るショーケースを構成するスライド扉の概略構成図である。
【図５】図４のＡ−Ａ線断面図である。
【図６】本発明に係るショーケースの要部の縦断側面図である。
【図７】図６のＢ−Ｂ線断面図である。
【図８】本発明に係るショーケースの姿勢調整構造を説明するための図である。
【発明を実施するための形態】
【００１２】
図１ないし図８に、本発明に係るショーケースの実施例を示す。本実施例における前後、左右、上下とは、図１、２、３等に示す交差矢印と、矢印の近傍の前後・左右・上下の表記に従う。図２および図３に示すように、このショーケース１は、内箱と外箱との間にウレタン等の発泡断熱材２を充填してなるショーケース本体としての断熱箱体３と、該断熱箱体３が載置されるシャーシ４とを備える。シャーシ４の内部に画成された機械室５に、圧縮機６、凝縮器７等からなる冷凍装置８が収納されている。符号９は、凝縮器７の送風ファンを示す。
【００１３】
断熱箱体３の内部上部には、冷凍装置８からの冷媒の供給を受けて冷気を生成する冷却器１０と、冷却器１０によって生成された冷気を断熱箱体３に内部画成した冷蔵室１１に送り出す庫内ファン１２とが配置されている。冷蔵室１１には、飲料品等の貯蔵物が載置される棚１３が配設されている。
【００１４】
図２に示すように、断熱箱体３の前部には、前方に開放する矩形状の前面開口１５が形成されており、この前面開口１５は、左右一対のスライド扉１６・１６で開閉される。図５および図６に示すように、各スライド扉１６は、前後一対のガラス板１７・１７と、これらガラス板１７・１７の間に介在されたスペーサ１８とで構成される扉本体１９と、扉本体１９の四周縁に形成される扉枠２０とからなる。図４に示すように、扉枠２０は、戸先側に配される戸先框２１と、戸尻側に配される戸尻框２２と、戸先框２１と戸尻框２２の上端部どうし、および下端部どうしを接続する上框２３および下框２４で構成されている。
【００１５】
図５に示すように、戸先框２１は、断面形状が横長の略長方形状に形成されており、その前面には、スライド扉１６を開閉操作するために手指を掛けるためのハンドル２５が突出形成されている（図４、および図５参照）。戸先框２１の閉じ端面には、内部に棒状の磁石２６が配置された扉パッキン２７が上下方向の全長にわたって設けられている。下框２４には、スライド扉１６の荷重を受ける左右一対の戸車２９・２９が配置されており、この戸車２９でスライド扉１６のスライド開閉操作時の摺動抵抗を減じている（図４参照）。
【００１６】
扉枠２０を構成する戸先框２１、戸尻框２２、上框２３、および下框２４は、スライド扉１６の断熱性を向上するためにそれぞれプラスチックを素材とする押出成形品で形成されており、本実施例では、塩化ビニルを押出成形して得られた条材を所定形状に切断および加工して形成している。以上のような構成からなるスライド扉１６は、各框２１・２２・２３・２４の固定溝に扉本体１９を嵌め込んだ状態で、扉本体１９の戸先および戸尻の上下端部と、上框２３および下框２４とを図外のビスで固定してなる。
【００１７】
図２、図３、図６、および図７に示すように、前面開口１５の内周囲には、開口枠３０が設けられている。開口枠３０は、上ガイド枠３１、および下ガイド枠３２と、左右一対の側枠３３・３３とで構成される。左右一対のスライド扉１６・１６は、上ガイド枠３１と下ガイド枠３２とでスライド開閉自在に案内されている。図６に示すように、上ガイド枠３１は、水平の固定壁３５と、固定壁３５の前後端および中央部から下向きに伸びる３個の支持壁３６と、各支持壁３６の下端から水平方向に伸びるガイド壁３７とで断面が略横臥Ｅ字状に形成されている。隣接するガイド壁３７間に形成される隙間は、スライド扉１６の上框２３の前後幅よりも僅かに大きく設定されており、各スライド扉１６の上側は、上框２３が前後のガイド壁３７で僅かなクリアランスを介してスライド自在に案内される。
【００１８】
図６に示すように、中央および後ろ側の支持壁３６の前面には、支持壁３６で生じた結露水を受止める凹凸面３８が形成されている。凹凸面３８の下方に位置するガイド壁３７には、上向きに樋壁が突設されて樋部３９が形成されている。図６において、符号４０は、各スライド扉１６と、スライド扉１６の前側に位置する支持壁３６との間を封止して、上ガイド枠３１部分での庫内空気の流出を防止するためのシール舌片を示す。
【００１９】
図６に示すように、下ガイド枠３２は、前面開口部に固定される横臥コ字状の固定壁４１と、固定壁４１の前後、および中央から上向きに延設される３個のシール壁４２を一体に備える。隣接するシール壁４２・４２の間の固定壁４１の上面には、一対のガイドレール（下レール）４３・４３がリブ状に突設されており、これらガイドレール４３・４３でスライド扉１６の戸車２９を構成するローラ５０が案内支持される。図６において、符号４４は、下ガイド枠３２のシール壁４２に設けられたシール舌片を、符号４５は、スライド扉１６の下框２４に設けられたシール舌片を示し、これら二つのシール舌片４４・４５により下ガイド枠３２と下框２４との間を封止して、下ガイド枠３２部分での庫内空気の流出を防止している。
【００２０】
図１および図４に示すように、各スライド扉１６の左右両端部に離間して配置されて、スライド扉１６の荷重を受ける戸車２９は、プラスチック製のローラ５０と、ローラ５０を支持する戸車枠５１とを備える。戸車枠５１は、下框２４の下面に、固定ねじ（回転中心軸）５２と調整ねじ（調整軸）５３によって固定される取付ベース５４と、取付ベース５４の前後縁から下方に延設された前後一対のフレーム５５・５５とを備えるプレス成型品であり、前後のフレーム５５・５５にかしめ固定した軸５６でローラ５０が回転自在に支持されている。取付ベース５４は、左右方向に長い矩形形状に形成されている。固定ねじ５２は、下框２４のねじ穴５７にねじ込まれるねじ軸５２ａと、ねじ軸５２ａよりも大径の操作頭部５２ｂとを備える。同様に、調整ねじ５３は、下框２４のねじ穴５７にねじ込まれるねじ軸５３ａと、ねじ軸５３ａよりも大径の操作頭部５３ｂとを備える。
【００２１】
常態（反り変形が生じていない状態）におけるスライド扉１６は、側面視において直線状になっている。しかし、特に２枚のガラス板１７・１７を張り合わしてなる扉本体１９と塩化ビニルからなる扉枠２０を備えるスライド扉１６では、図８に示すように、冷却された低温の庫内空気と室温の庫外空気の温度差により扉枠２０（上框２３、下框２４）の庫内側が収縮して、平面視でスライド扉１６の左右方向の中央部が外向き（庫外向き）に膨出する反り変形が生じる。このようにスライド扉１６が反り変形すると、戸車２９のローラ５０の走行方向が、下ガイド枠３２のガイドレール４３の伸び方向（左右方向）と不一致となり、円滑にスライド扉１６をガイドレール４３に沿って開閉スライド操作することが困難となる。
【００２２】
以上のようにスライド扉１６に反りが生じた場合でも、円滑なスライド扉１６の開閉スライド操作を確保するために、本実施例に係るショーケース１では、スライド扉１６と戸車２９との間に、スライド扉１６に対するローラ５０の走行方向を変更させるための姿勢調整構造を設けている。ここでは、固定ねじ５２を中心にして、スライド扉１６に対する戸車２９の姿勢方向を変位可能に構成することで、ローラ５０の走行方向を変更させることができるようにしている。
【００２３】
具体的には、図１に示すように、戸車２９の取付ベース５４の左右方向の一端には、固定ねじ５２のねじ軸５２ａを受け入れる、真円状のねじ挿通孔６０が形成され、取付ベース５４の他端には、調整ねじ５３のねじ軸５３ａを受け入れる前後方向に長い長穴状の調整孔６１が形成されている。スライド扉１６の下框２４の下面の厚み方向（前後方向）の中央部には、固定ねじ５２、および調整ねじ５３を受け入れて、各戸車２９を固定するためのねじ穴５７が形成されている。
【００２４】
これら固定ねじ５２、調整ねじ５３、ねじ挿通孔６０、および調整孔６１により、姿勢調整構造は構成される。換言すれば、姿勢調整構造は、回転中心軸となる固定ねじ５２と、該回転中心軸を中心として取付ベース５４を前後方向に揺動した状態で下框２４に固定する調整軸となる調整ねじ５３とを含み、固定ねじ５２を中心として揺動させた状態で調整ねじ５３により、取付ベース５４を下框２４に固定することで、戸車２９のローラ５０の走行方向を変更することができるように構成されている。
【００２５】
より具体的には、反り変形が生じていない常態では、取付ベース５４のねじ挿通孔６０を介して下框２４のねじ穴５７に固定ねじ５２のねじ軸５２ａがねじ込まれ、調整孔６１を介して下框２４のねじ穴５７に調整ねじ５３のねじ軸５３ａがねじ込まれている。図８に示すように、扉本体１９に反り変形が生じた場合には、両ねじ５２・５３の操作頭部５２ｂ・５３ｂを操作して両ねじ５２・５３を緩めたうえで、図１に仮想線で示すように、固定ねじ５２を揺動回転中心として、調整孔６１の長さ寸法分だけ、取付ベース５４を前後へ相対的に揺動させることで、戸車２９の姿勢を変位させて、ローラ５０の走行方向を変更させることができる。このとき、ローラ５０の走行方向をガイドレール４３の伸び方向（左右方向）と一致させることで、スライド扉１６の反り変形を吸収することができるので、スライド扉１６のスライド開閉操作を円滑に行うことが可能となる。
【００２６】
上記実施例においては、戸車２９の取付ベース５４に調整孔６１を設けたが、本発明はこれに限られず、例えば、スライド扉１６の扉枠２０を構成する下框２４に調整孔が開設されている構成を採ることができる。この場合には、調整軸５３をボルトとナット構造として、調整孔を介して挿通されたボルト軸にナットを螺合することで、戸車２９を固定することができる。同様に、回転中心軸５２は固定ねじに限られず、ボルト−ナット構造とすることができる。
【符号の説明】
【００２７】
１  ショーケース
３  ショーケース本体（断熱箱体）
１５  前面開口
１６  スライド扉
１９  扉本体
２０  扉枠
２９  戸車
３０  開口枠
４３  下レール（ガイドレール）
５０  ローラ
５１  戸車枠
５２  回転中心軸（固定ねじ）
５３  調整軸（調整ねじ）
５４  取付ベース
６１  調整孔
５３ａ  調整ねじのねじ軸
５３ｂ  調整ねじの操作頭部
【図１】
2016214313.tif 000003
【図２】
2016214313.tif 000004
【図３】
2016214313.tif 000005
【図４】
2016214313.tif 000006
【図５】
2016214313.tif 000007
【図６】
2016214313.tif 000008
【図７】
2016214313.tif 000009
【図８】
2016214313.tif 000010